(57)【要約】【課題】散水ヘッドの盗難を防止することができ、散水ヘッドの盗難を防止することができ、使用時に節水も可能となる散水ヘッドの連結具を提供する。【解決手段】ホース１０の一端１０ａと散水ヘッド８の給水口８ａとの間に介在される散水ヘッドの連結具であって、この連結具１の本体２は、前記ホース１０の一端１０ａが取り付けられる基端２ａ側より前記散水ヘッド８が装着される先端２ｂ側に向けて貫通孔１ａが設けられ、前記先端２ｂ側の端面から前記基端２ａ側に向けて円環状の溝２ｄを形成することにより内周側に送水筒３が、外周側に取付筒４が構成され、この取付筒４の外周部には外筒６が回転自在に設けられ、この外筒６により覆われる位置をその外端５ａとして前記取付筒４の外周面４ｂと前記貫通孔１ａとの間に連通孔５が形成されてなる。【選択図】      図２
2004215954.tif 000002
【特許請求の範囲】
【請求項１】
ホースの一端と散水ヘッドの給水口との間に介在される散水ヘッドの連結具であって、
この連結具の本体は、前記ホースの一端が取り付けられる基端側より前記散水ヘッドが装着される先端側に向けて貫通孔が設けられ、前記先端側の端面から前記基端側に向けて円環状の溝を形成することにより内周側に送水筒が、外周側に取付筒が構成され、この取付筒の外周部には外筒が回転自在に設けられ、この外筒により覆われる位置を外端として前記取付筒の外周面と前記貫通孔との間に連通孔が形成されてなることを特徴とする散水ヘッドの連結具。
【請求項２】
前記取付筒の外周面に外側円環溝が形成される一方、前記外筒の内周面に内側円環溝が形成され、前記外側円環溝と内側円環溝との間に環状弾性部材が嵌入されて、前記取付筒に対し前記外筒が回転可能に設けられてなることを特徴とする請求項１に記載の散水ヘッドの連結具。
【請求項３】
前記連結具本体が金属材からなり、前記送水筒の先端側出水口が六角レンチを挿入可能な六角柱状に形成されてなることを特徴とする請求項１または２に記載の散水ヘッドの連結具。
【発明の詳細な説明】
【０００１】
【発明の属する技術分野】
本発明は、シャワーのような散水具のヘッドとホースとを連結する散水ヘッドの連結具に関するものである。
【０００２】
【従来の技術】
散水具の一例として、浴室等で使用されるシャワーは、圧力水を散水するシャワーヘッドとホースとを連結するために連結具を用いている。
この連結具は円筒状で、先端にシャワーヘッドの給水口を螺合するためのネジ部が刻設され、基端はホースの一端を嵌着可能に細長の筒状とされている。
【０００３】
【発明が解決しようとする課題】
ところで、上記従来のシャワーヘッド用連結具は、先端にシャワーヘッドを螺合して取り付ける簡単な構成であり、誰でも容易に取り外せることから、公衆浴場やプール等に設置されているものは、シャワーヘッドが外されて持ち帰られるという難点があった。
また、ホースからの圧力水をシャワーヘッド側に送給し、外気を混入させることなくそのまま散水口から噴射させる簡単な構成のため、節水能力を有するものではなかった。
本発明は、上記のような課題を解決するためになされたもので、散水ヘッドの盗難を防止することができ、使用時に節水も可能となる散水ヘッドの連結具を提供することを目的としている。
【０００４】
【課題を解決するための手段】
上記目的を達成するため、本発明のうち請求項１に記載の発明は、ホースの一端と散水ヘッドの給水口との間に介在される散水ヘッドの連結具であって、この連結具の本体は、前記ホースの一端が取り付けられる基端側より前記散水ヘッドが装着される先端側に向けて貫通孔が設けられ、前記先端側の端面から前記基端側に向けて円環状の溝を形成することにより内周側に送水筒が、外周側に取付筒が構成され、この取付筒の外周部には外筒が回転自在に設けられ、この外筒により覆われる位置を外端として前記取付筒の外周面と前記貫通孔との間に連通孔が形成されてなることを特徴としている。
また、請求項２に記載の発明は、前記取付筒の外周面に外側円環溝が形成される一方、前記外筒の内周面に内側円環溝が形成され、前記外側円環溝と内側円環溝との間に環状弾性部材が嵌入されて、前記取付筒に対し前記外筒が回転可能に設けられてなることを特徴としている。
また、請求項３に記載の発明は、前記連結具本体が金属材からなり、前記送水筒の先端側出水口が六角レンチを挿入可能な六角柱状に形成されてなることを特徴としている。
【０００５】
【発明の実施の形態】
以下、本発明の実施の形態について、図示例を参照しながら説明する。
図１は、本発明の実施の形態に係る散水ヘッドの連結具を示す斜視図、図２は、同散水ヘッドの連結具を示す縦断面図である。
この散水ヘッドの連結具１は、シャワーの散水用ヘッド（シャワーヘッド）８と給水用のホース１０とを連結するもので、節水機能を有する構成となっている。
シャワーヘッド８は、基端側の給水口８ａから先端側の散水口８ｂに向けた導水管８ｃの部分が漸次大径とされており、プラスチック材で形成されている。このシャワーヘッド８は、給水口８ａ側の外周面に雄ネジ８ｄを刻設してある。
【０００６】
連結具１は、本体２に外筒６を設けたもので、金属材により形成されている。本体２は、図２〜図４に示す如く略円筒状であり、基端２ａ側の外周面に雄ネジ２ｃを刻設してある。
また、この本体２は、基端２ａから先端２ｂに向けて導水用の貫通孔１ａを形成している。この貫通孔１ａは、図２に示すように、基端２ａからやや入ったところから滑らかな凹曲面２１を介して小径にすぼむ縮径部２２が形成され、縮径部２２の先端側は少し大径に拡径された拡径部２３に形成されている。
さらに、この連結具１は、先端２ｂ側の端面から基端側に向けて円環状の溝２ｄを形成し、内周側に送水筒３を、外周側に取付筒４を構成している。
管通孔１ａは送水筒３内を貫通している。送水筒３は、取付筒４の先端４１よりも若干突出する長さとし、シャワーヘッド８に連通できるようにしている。
そして、この送水筒３の先端側送水口３ａは、図３に示すように、外周面を六角柱状に形成しており、六角スパナによって回動可能となっている。
【０００７】
取付筒４は、内周面に雌ネジ４ａを刻設してある。この取付筒４外周面４ｂに外周円環溝４ｃを形成している。さらに、本体２には、外周面４ｂの外周円環溝４ｃに近接した位置から貫通孔１ａの拡径部２３の基端近傍に開口するように、細径の連通孔５を穿設している。
この連通孔５には、図示省略しているが、逆止弁が設けられており、水漏れの防止が図られている。なお、散水口８ｂが閉塞されるおそれのない場合は逆止弁を設けなくてもよく、逆止弁がなくても連通孔５から側方へ不測に噴出することは外筒６によって防止される。
これにより、連通孔５の内端５ｂに近接した貫通孔１ａ内が混気ジェット形成部１１となって、混気ジェット水がシャワーヘッド８側に送給され、散水口８ｂから安定よく噴射可能となる。
【０００８】
外筒６は、本体２より僅かに大径で、先端２ｂから略中央まで延出し、連通孔５の外端５ａを覆っている。
また、この外筒６は、前記外周円環溝４ｃに対向する内周面６ａに内周円環溝６ｂを形成している。そして、この内周円環溝６ｂと外周円環溝４ｃとの間に、リング７を嵌入してある。
これによって、外筒６の抜け止めがなされるとともに、取付筒４に対し回転可能に設けられ、この外筒６を把持したときにシャワーヘッド８を回動自在に動かすことができる。
【０００９】
しかして、上記散水ヘッドの連結具１は、シャワーヘッド８とホース１０とを連結する際に六角スパナを用いて装着する。
まず、ホース１０の一端１０ａに予め取り付けられたソケット９を挿入する。
そして、このソケット９を把持した状態で送水筒３の外周に六角スパナを係合し、これを回転させることによりソケット９の雌ネジ９ａと基端２ａの雄ネジ２ｃとを螺合する。
この際、先端側送水口３ａは、六角柱状に形成されているから、従来のようにマイナス溝にマイナスドライバーを係合して回す場合と異なり、殆ど滑ることがない。よって、送水筒３が傷むことなく、また、安全に作業することができる。
【００１０】
このようにして、ホース８を取り付けた後は、先端２ｂ側の環状溝２ｄにシャワーヘッド８の給水口８ａ側を挿入する。そして、雄ネジ８ｄを取付筒４の雌ネジ４ａに臨ませてから、シャワーヘッド８側を回転させる。
このとき、ホース１０と連結具１とが強固に連結されているので、連結具１側を把持したままシャワーヘッド８を回すことができる。
よって、このシャワーヘッド８も連結具１に対し連結され、しかも、万一シャワーヘッドが取り外されて外筒６が回されても、外筒は回転自在に取り付けられているので、一般人の力では容易に緩めることができないから、従来のように連結具１が外されて持ち帰られる問題が防止される。
【００１１】
この装着後、シャワーを使用する場合は、コックを開弁操作することにより、ホース１０に湯水または水道水を供給する。
これに伴い、圧力水が小径の貫通孔１ａから大径側に流入すると、この貫通孔１ａ内が負圧となって連通孔５より外気が吸引される。すると、圧力水に外気が混入し、混気ジェット形成部１１で混気ジェット水が形成され、気泡を含んだ高圧水流としてシャワーヘッド８側に送給される。
そして、このシャワーヘッド８の散水口８ｂから混気ジェット水が安定よく噴射される。このため、従来のように単なる高圧水を噴射する場合に比して使用水が大幅に減少する。
ところで、このように形成された連結具１は、本体２が金属材で、シャワーヘッド８がプラスチック材により形成されていることから、両者を廃棄処分する際に金属材とプラスチック材との分別が容易になる。
なお、上記実施例では、シャワーに適用する場合について説明したが、他の散水具にも広く採用することができるのは勿論である。
【００１２】
【発明の効果】
以上説明したように、本発明のうち請求項１に記載の発明は、連結具本体を構成する取付筒の外周面と貫通孔との間に連通孔が形成されているので、圧力水が流通するときに貫通孔内で負圧が生じることにより、連通孔から外気が吸引されて気泡を含んだ混気ジェット水を安定よく散水ヘッドから噴射させることができ、使用水が少なくなるために節水が可能となる。
また、連通孔が外筒で覆われる位置を外端としており、利用者が外筒を把持したときに手指で連通孔を塞ぐことはないので、散水ヘッドの使用時に節水機能が損なわれる不具合が防止される。
さらに、連結具本体の先端側の端面から基端側に向けて円環状の溝を形成することにより内周側に送水筒が、外周側に取付筒が構成され、この取付筒の外周部には外筒が回転自在に設けられているので、散水ヘッドの取り外しが難しくなり、盗難を防止することができるといった効果がある。
【００１３】
また、請求項２に記載の発明は、取付筒の外側円環溝と外筒の内側円環溝との間に環状弾性部材が嵌入されて、取付筒に対し外筒が回転可能に設けられているから、外筒が抜けることなく確実に保持されるとともに、散水ヘッドを自在に動かせるので使い易くなる利点がある。
また、請求項３に記載の発明は、連結具本体が金属材により形成されているので、廃棄処分する際に合成樹脂材で構成され散水ヘッドとの分別が容易になる。
そして、送水筒の先端側送水口が六角柱状に形成されているため、マイナスドライバーを使用する場合に比して六角レンチは殆ど滑ることがないから、安全かつ強固に各部を取り付けることができる利点がある。
【図面の簡単な説明】
【図１】本発明の実施の形態に係る散水ヘッドの連結具を示す斜視図である。
【図２】同散水ヘッドの連結具を示す縦断面図である。
【図３】同散水ヘッドの連結具の散水ヘッド取付側を示す右側面図である。
【図４】同散水ヘッドの連結具のホース取付側を示す左側面図である。
【符号の説明】
１    連結具
１ａ  貫通孔
２    本体２
２ａ  基端
２ｂ  先端
２ｄ  溝
３    送水筒
４    取付筒
５    連通孔
５ａ  外端
６    外筒
８    散水ヘッド
８ａ  給水口
１０  ホース
１０ａ  一端
【図１】
2004215954.tif 000003
【図２】
2004215954.tif 000004
【図３】
2004215954.tif 000005
【図４】
2004215954.tif 000006